(57)【要約】【課題】ガット張力の正確度を高めるガット張り機のガット引張り装置。【解決手段】ベースとスライドシートと、一対の挟持ブロックと、案内部品とを包含し、スライドシートの両側に第１ロールと第２ロールが凸設され、且つ第１ロールが該案内部品の近隣に位置し、ベースの対称な立壁の該スライドシートに向いた内側壁に各ロールに合わせて第１滑り溝と第２滑り溝が凹設され、該第１滑り溝の該案内部品に向いた一端がもう一端より高く、これにより第１滑り溝が軸方向に傾斜する長溝を形成し、該第１、第２ロールがすれぞれ第１、２滑り溝に沿って往復移動し、これにより該スライドシートが斜め上向きに移動でき、同一直線に保持され、ガット張力の正確度を高める。【選択図】図２
0003136637.tif 000002
【実用新案登録請求の範囲】
【請求項１】
ガット張り機のガット引張ヘッドにおいて、
ベースであって、該ベースは底座と二つの立壁で構成され、ガット張り機のガット引張り装置を位置決めし、各立壁が対称状に該底座両側に設けられた、上記ベースと、
スライドシートであって、各立壁の間に枢設され、該スライドシートは二つの保持ブロックが対向するように組み合わされてなる、上記スライドシートと、
一対の挟持ブロックであって、各挟持ブロックが各保持ブロックの間に枢設され、これによりガットを挟持する、上記一対の挟持ブロックと、
案内部品であって、該案内部品は該スライドシートの一端に設けられ、ガットを案内して該挟持ブロックの方向に延伸させる、上記案内部品と、
を包含し、
ベースとスライドシートと、一対の挟持ブロックと、案内部品とを包含し、スライドシートの両側に第１ロールと第２ロールが凸設され、且つ第１ロールが該案内部品の近隣に位置し、ベースの対称な立壁の該スライドシートに向いた内側壁に各ロールに合わせて第１滑り溝と第２滑り溝が凹設され、該第１滑り溝の該案内部品に向いた一端がもう一端より高く、これにより第１滑り溝が軸方向に傾斜する長溝を形成し、該第１、第２ロールがすれぞれ第１、２滑り溝に沿って往復移動し、これにより該スライドシートが斜め上向きに移動でき、同一直線に保持され、ガット張力の正確度を高めることを特徴とする、ガット張り機のガット引張ヘッド。
【請求項２】
請求項１記載のガット張り機のガット引張ヘッドにおいて、緩衝構造をさらに包含し、該緩衝構造が該底座に設けられ、これにより該スライドシートの落下の速度を緩衝、減少し、該スライドシートと該底座の衝突を防止して使用寿命を延長することを特徴とする、ガット張り機のガット引張ヘッド。
【請求項３】
請求項２記載のガット張り機のガット引張ヘッドにおいて、該緩衝構造が、緩衝ピン、バネ及びカバーで構成され、そのうち、該底座に垂直に貫通する位置決め孔が設けられ、且つ該位置決め孔は枢設孔部、収容孔部、及びネジ孔部が順に接続されて形成され、該枢設孔部の一端は該底座の上端を貫通し、該緩衝ピンは該枢設孔部に枢設され、該バネは軸方向に該収容孔部内部に設けられ、該バネが該緩衝ピンを押して、該緩衝ピンを底座の上端空間より突出させ、並びに該スライドシートが回復、落下する時、緩衝作用を形成することを特徴とする、ガット張り機のガット引張ヘッド。
【請求項４】
請求項３記載のガット張り機のガット引張ヘッドにおいて、該緩衝ピンの上端にボールヘッドが形成されたことを特徴とする、ガット張り機のガット引張ヘッド。
【請求項５】
請求項３記載のガット張り機のガット引張ヘッドにおいて、該収容孔部の孔径は該枢設孔部より大きく、該緩衝ピンの底端が該収容孔部に延伸され並びに径方向に延伸されてフランジが形成され、該フランジと該収容孔部の上端端面が当接し、これにより該緩衝ピンが制限、位置決めされることを特徴とする、ガット張り機のガット引張ヘッド。
【請求項６】
請求項１記載のガット張り機のガット引張ヘッドにおいて、さらに位置決めピンを包含する。該位置決めピンは該ベースに活動可能に設けられ、該位置決めピンにより該ベースと該スライドシートが接続されて、該案内部品とラケットのグリップの衝突が防止されたことを特徴とする、ガット張り機のガット引張ヘッド。
【請求項７】
請求項６記載のガット張り機のガット引張ヘッドにおいて、該ベースの一側に、横向きに貫通するピン孔が設けられ、該スライドシートの一側に挿入孔が開設されて該ピン孔に対応し、これにより該位置決めピンが該ピン孔及び該挿入孔に挿入されて、該ベースと該スライドシートが接続されることを特徴とする、ガット張り機のガット引張ヘッド。
【請求項８】
請求項７記載のガット張り機のガット引張ヘッドにおいて、該位置決めピンの一側に軸方向に沿ってビーズ溝が凹設され、該ベースに軸方向に沿って収容室が開設され、該収容室の一端が該ピン孔に連通し、もう一端は、該ベースの該案内部品に向いた端面において外部に対して開通し、並びにナットが螺合され、これにより該収容室が封鎖され、該収容室内部にビーズ及び制圧バネが設けられ、該ビーズが該ビーズ溝に嵌設され、該制圧バネの両端はそれぞれ該ビーズと該ナットに当接し、これにより該ビーズと該ビーズ溝の両端が相互に制限作用を形成し、これにより該位置決めピン操作の便利性と位置決めの信頼度を増すことを特徴とする、ガット張り機のガット引張ヘッド。
【請求項９】
請求項１記載のガット張り機のガット引張ヘッドにおいて、該第２滑り溝が軸方向に水平の長溝であることを特徴とする、ガット張り機のガット引張ヘッド。
【考案の詳細な説明】
【技術分野】
【０００１】
本考案は一種のガット張り機に係り、さらに詳しくは、スライドレール式ガット引張り装置に用いられてガットを挟持するガット引張ヘッドであって、ガットを挟着する時にラケットフレームの高さに合わせて斜めにスライドさせて、ガットを引張る過程で、同一直線に保持し、ガット引張りの正確度を高めるガット引張ヘッドに関する。
【背景技術】
【０００２】
テニスラケット、バドミントンラケットはガットを網状に張ってフェイスを形成し、フェイスの緊張度はガットを張る時の引張り応力の数値により決まり、一般にはガット張り機によりガット張り作業を行い、ガットを張る作業を容易とし且つ引張応力数値を正確に制御できるようにしている。ガット張り機でガットを張る時、フレームにガットを通し並びにガットの前端を挟持する必要があり、その後、ガット引張り装置を作動させてガット前端を移動させ、ガットを徐々に緊張状態となす。
【０００３】
ガット張り機でガット引張り作業を行なう時、ガット張り機は支持台上方の保持構造によりラケットの環形フレームを挟持し位置決めされ、ガットを挟持し並びに、ガット前端がラケットの位置決め部分と隣接するようにされ、ガット張り作業を行なう過程で、ラケットをガット張り作業に応じて適時に回転させて、ガットを往復するガット張り作業中で、ガット引張り方向に延伸されるよう保持し、これによりガット前端の挟持を行なえるようにしている。ゆえにガット前端はラケットの高さより低くなければならず、それによりラケットが回転時にガット前端と相互に衝突するのを防止する。ゆえに、ガットがラケットに通された後、必ず下方に位置するガット前端に向けて折れ曲がるように延伸させる。ガットはガット引張りを受ける過程で、ガットのフレーム範囲内のセクションが水平セクションを形成し、フレームとガット前端の間のセクションが傾斜セクションを形成し、且つ水平セクションと傾斜セクションの隣接部分がちょうどフレーム部分に対応し、ガットがフレームに押しつけられるため、ガット引張り装置がガットのフレーム範囲のセクションの張力を測定する正確度に影響が生じる。
【考案の開示】
【考案が解決しようとする課題】
【０００４】
本考案の主要な目的は、一種のガット張り機のガット引張ヘッドに係り、それはガットを挟着する時、ラケットフレームの高さに合わせて斜めにスライドし、ガットを引張の過程で、同一直線に維持させ、引張張力の正確度を高めることができるものとする。
【課題を解決するための手段】
【０００５】
請求項１の考案は、ガット張り機のガット引張ヘッドにおいて、
ベースであって、該ベースは底座と二つの立壁で構成され、ガット張り機のガット引張り装置を位置決めし、各立壁が対称状に該底座両側に設けられた、上記ベースと、
スライドシートであって、各立壁の間に枢設され、該スライドシートは二つの保持ブロックが対向するように組み合わされてなる、上記スライドシートと、
一対の挟持ブロックであって、各挟持ブロックが各保持ブロックの間に枢設され、これによりガットを挟持する、上記一対の挟持ブロックと、
案内部品であって、該案内部品は該スライドシートの一端に設けられ、ガットを案内して該挟持ブロックの方向に延伸させる、上記案内部品と、
を包含し、
ベースとスライドシートと、一対の挟持ブロックと、案内部品とを包含し、スライドシートの両側に第１ロールと第２ロールが凸設され、且つ第１ロールが該案内部品の近隣に位置し、ベースの対称な立壁の該スライドシートに向いた内側壁に各ロールに合わせて第１滑り溝と第２滑り溝が凹設され、該第１滑り溝の該案内部品に向いた一端がもう一端より高く、これにより第１滑り溝が軸方向に傾斜する長溝を形成し、該第１、第２ロールがすれぞれ第１、２滑り溝に沿って往復移動し、これにより該スライドシートが斜め上向きに移動でき、同一直線に保持され、ガット張力の正確度を高めることを特徴とする、ガット張り機のガット引張ヘッドとしている。
請求項２の考案は、請求項１記載のガット張り機のガット引張ヘッドにおいて、緩衝構造をさらに包含し、該緩衝構造が該底座に設けられ、これにより該スライドシートの落下の速度を緩衝、減少し、該スライドシートと該底座の衝突を防止して使用寿命を延長することを特徴とする、ガット張り機のガット引張ヘッドとしている。
請求項３の考案は、請求項２記載のガット張り機のガット引張ヘッドにおいて、該緩衝構造が、緩衝ピン、バネ及びカバーで構成され、そのうち、該底座に垂直に貫通する位置決め孔が設けられ、且つ該位置決め孔は枢設孔部、収容孔部、及びネジ孔部が順に接続されて形成され、該枢設孔部の一端は該底座の上端を貫通し、該緩衝ピンは該枢設孔部に枢設され、該バネは軸方向に該収容孔部内部に設けられ、該バネが該緩衝ピンを押して、該緩衝ピンを底座の上端空間より突出させ、並びに該スライドシートが回復、落下する時、緩衝作用を形成することを特徴とする、ガット張り機のガット引張ヘッドとしている。
請求項４の考案は、請求項３記載のガット張り機のガット引張ヘッドにおいて、該緩衝ピンの上端にボールヘッドが形成されたことを特徴とする、ガット張り機のガット引張ヘッドとしている。
請求項５の考案は、請求項３記載のガット張り機のガット引張ヘッドにおいて、該収容孔部の孔径は該枢設孔部より大きく、該緩衝ピンの底端が該収容孔部に延伸され並びに径方向に延伸されてフランジが形成され、該フランジと該収容孔部の上端端面が当接し、これにより該緩衝ピンが制限、位置決めされることを特徴とする、ガット張り機のガット引張ヘッドとしている。
請求項６の考案は、請求項１記載のガット張り機のガット引張ヘッドにおいて、さらに位置決めピンを包含するとしている。該位置決めピンは該ベースに活動可能に設けられ、該位置決めピンにより該ベースと該スライドシートが接続されて、該案内部品とラケットのグリップの衝突が防止されたことを特徴とする、ガット張り機のガット引張ヘッドとしている。
請求項７の考案は、請求項６記載のガット張り機のガット引張ヘッドにおいて、該ベースの一側に、横向きに貫通するピン孔が設けられ、該スライドシートの一側に挿入孔が開設されて該ピン孔に対応し、これにより該位置決めピンが該ピン孔及び該挿入孔に挿入されて、該ベースと該スライドシートが接続されることを特徴とする、ガット張り機のガット引張ヘッドとしている。
請求項８の考案は、請求項７記載のガット張り機のガット引張ヘッドにおいて、該位置決めピンの一側に軸方向に沿ってビーズ溝が凹設され、該ベースに軸方向に沿って収容室が開設され、該収容室の一端が該ピン孔に連通し、もう一端は、該ベースの該案内部品に向いた端面において外部に対して開通し、並びにナットが螺合され、これにより該収容室が封鎖され、該収容室内部にビーズ及び制圧バネが設けられ、該ビーズが該ビーズ溝に嵌設され、該制圧バネの両端はそれぞれ該ビーズと該ナットに当接し、これにより該ビーズと該ビーズ溝の両端が相互に制限作用を形成し、これにより該位置決めピン操作の便利性と位置決めの信頼度を増すことを特徴とする、ガット張り機のガット引張ヘッドとしている。
請求項９の考案は、請求項１記載のガット張り機のガット引張ヘッドにおいて、該第２滑り溝が軸方向に水平の長溝であることを特徴とする、ガット張り機のガット引張ヘッドとしている。
【考案の効果】
【０００６】
本考案は、一種のガット張り機のガット引張ヘッドを提供し、それはガットを挟着する時、ラケットフレームの高さに合わせて斜めにスライドし、ガットを引張の過程で、同一直線に維持させ、引張張力の正確度を高めることができる。
【考案を実施するための最良の形態】
【０００７】
本考案のガット張り機のガット引張ヘッドは、
ベースであって、該ベースは底座と二つの立壁で構成され、ガット張り機のガット引張り装置を位置決めし、各立壁が対称状に該底座両側に設けられた、上記ベースと、
スライドシートであって、各立壁の間に枢設され、該スライドシートは二つの保持ブロックが対向するように組み合わされてなる、上記スライドシートと、
一対の挟持ブロックであって、各挟持ブロックが各保持ブロックの間に枢設され、これによりガットを挟持する、上記一対の挟持ブロックと、
案内部品であって、該案内部品は該スライドシートの一端に設けられ、ガットを案内して該挟持ブロックの方向に延伸させる、上記案内部品と、
を包含し、
ベースとスライドシートと、一対の挟持ブロックと、案内部品とを包含し、スライドシートの両側に第１ロールと第２ロールが凸設され、且つ第１ロールが該案内部品の近隣に位置し、ベースの対称な立壁の該スライドシートに向いた内側壁に各ロールに合わせて第１滑り溝と第２滑り溝が凹設され、該第１滑り溝の該案内部品に向いた一端がもう一端より高く、これにより第１滑り溝が軸方向に傾斜する長溝を形成し、該第１、第２ロールがすれぞれ第１、２滑り溝に沿って往復移動し、これにより該スライドシートが斜め上向きに移動でき、同一直線に保持され、ガット張力の正確度を高める。
【実施例１】
【０００８】
図１は本考案の好ましい実施例の立体図であり、図２は本考案の好ましい実施例の立体分解図、図３は本考案の好ましい実施例の動作状態の側面図（一）であり、図４は本考案の好ましい実施例の動作状態の側面図（二）であり、図５は本考案の好ましい実施例の緩衝構造部分の横断面図であり、図６は本考案の好ましい実施例の位置決めピン部分の軸方向断面図である。
【０００９】
図１、２を参照されたい。本考案のガット張り機のガット引張ヘッドの好ましい実施例によると、ガット張り機のガット引張ヘッドは、ベース１０、スライドシート２０、一対の挟持ブロック３０、及び、案内部品４０を包含する。そのうち、ベース１０は底座１１と二つの立壁１２で構成され、該底座１１がガット引張り装置（図示せず）に位置決めされ、且つ各立壁１２が対称状に該底座１１の両側に設けられ、該スライドシート２０は各立壁１２の間に枢設され、該スライドシート２０は二つの保持ブロック２１が対向するように組み合わされてなり、各挟持ブロック３０が対称状に各保持ブロック２１の間に枢設され、並びに往復スライド自在とされ、これによりガットが各挟持ブロック３０の間に置かれ、並びに各挟持ブロック３０が対向してガットを挟持し、これによりガットを引張りガット引張り作業に供する。挟持ブロック３０のガットを挟持する構成については、本考案と技術上関係がなく、且つこの技術領域の者にとって周知であるため、詳しい説明は省略する。該案内部品４０は該スライドシート２０の一端に設けられ、これによりガットを案内して挟持ブロック３０に向けて延伸させる。
【００１０】
該スライドシート２０の両側の底端近くに、それぞれ第１ロール２２と第２ロール２３が凸設され、且つ該第１ロール２２は該案内部品４０の近隣に設けられ、各該立壁１２の該スライドシート２０に向いた内側壁面に、第１ロール２２と第２ロール２３に合わせてそれぞれ第１滑り溝１３と第２滑り溝１４が設けられ、該第１滑り溝１３の該案内部品４０に向いた一端はもう一端より高く、これにより第１滑り溝１３が軸方向に傾斜状の長溝を形成し、該第２滑り溝１４は軸方向に水平の長溝であり、該第１ロール２２が該第１滑り溝１３に組み合わされ、第２ロール２３が第２滑り溝１４に組み合わされ、且つ第１ロール２２が該第１滑り溝１３に沿って軸方向に往復移動可能で、該第２ロール２３が該第２滑り溝１４に沿って軸方向に往復移動可能で、該第１滑り溝１３により該第１ロール２２を案内することで、該スライドシート２０が斜め上向きに移動可能で、これにより該案内部品４０がラケットフレームと組み合わされる高さまで斜めに移動可能で、ガットを引張緊張の過程で、同一直線に保持でき、ガットの張力の正確度を高めることができる。
【００１１】
図４、５に示されるように、本考案を利用してガットを挟持して引張操作を行なう前には、該第１滑り溝１３の空間形態により、第１ロール２２は重力作用により、該第１滑り溝１３の該案内部品４０から離れた一端に位置決めされ、すなわち、本考案は周知の技術と同様に、ラケットの高さより低く位置決めされ、ラケット回転時に本考案との相互衝突を有効に防止できる。ガット引張作業を行ないたい時は、ガットをラケットフレームのガット通し孔に通し、並びに該各挟持ブロック３０で挟持した後、ガット引張り装置を起動して本考案を移動させる時、ガットは該挟持ブロック３０に対して引張に対する反作用力を形成し、且つガットが該挟持ブロック３０に対して移動して該挟持ブロック３０の移動行程の終点に至った後、このような挟持ブロック３０を引張る作用力は、挟持ブロック３０を通して該スライドシート２０に作用し、該第１ロール２２と第２ロール２３が該第１滑り溝１３、第２滑り溝１４内で移動し、斜めの第１滑り溝１３が第１ロール２２に対して形成する上昇作用により、スライドシート２０がラケットフレーム９１の方向に水平移動する時、該スライドシート２０のラケットフレームに隣接する一端もまた上向きに移動し、こうして、該案内部品４０がこれに伴い上昇してラケットフレームの位置決めの高さに至り、こうしてガットが該ラケットフレームに通され、同一直線状態に保持されて、該案内部品４０に向けて延伸され、該ラケットフレームに押しつけられることがなく、一方でガット引張り装置のガット張力測定の正確度を増し、また一方でガットが引張の過程で、ラケットフレームのガット通し孔部分のピンを圧迫せず、ピンの使用寿命を延長できる。
【００１２】
図１、２、５を参照されたい。前述の本考案の好ましい実施例はさらに緩衝構造５０を包含し、該緩衝構造５０は該底座１１に設けられ、且つそれは緩衝ピン５２、バネ５４及びカバー５６で構成される。そのうち、該底座１１に垂直に貫通する位置決め孔１５が設けられ、且つ該位置決め孔１５は枢設孔部１５２、収容孔部１５４、及びネジ孔部１５６が順に接続されて形成される。且つ該枢設孔部１５２の一端は該底座１１の上端を貫通し、該収容孔部１５４の孔径は該枢設孔部１５２より大きく、該ネジ孔部１５６の孔径は該収容孔部１５４より大きく、該緩衝ピン５２は該枢設孔部１５２に枢設され、その上端にボールヘッド５２２が設けられ、その底端が該収容孔部１５４に延伸され並びに径方向に延伸されてフランジ５２４が形成され、該フランジ５２４と該収容孔部１５４の上端端面が当接し、これにより該緩衝ピン５２が位置決めされ、該バネ５４は軸方向に該収容孔部１５４内部に設けられ、該カバー５６が該ネジ孔部１５６に螺合され、これにより該バネ５４が該収容孔部１５４に封鎖され、且つ該バネ５４の両端がそれぞれ該フランジ５２４、該カバー５６に当接し、これにより該緩衝ピン５２を押して、該緩衝ピン５２を底座１１の上端空間より突出させ、並びに該スライドシート２０が回復、落下する時、緩衝作用を形成する。
【００１３】
これにより、ガット通し操作の過程で、ガット引張り装置がガット引張ヘッドを駆動してガットを緊張させるとき、該スライドシート２０がガットの引張を受けて一端が上昇した状態を形成し、このとき、該緩衝ピン５２が該バネ５４の押圧を受け、底座１１上端より突出する。該ガット引張り装置がガット引張ヘッドを駆動し移動させてガットを緊張させ、並びに必要な引張応力を形成した後、ガット挟持器を利用してラケットフレーム範囲内のガットを挟持制御し、その引張応力を維持した後に、該挟持ブロック３０のガットに対する挟持を解除する。このとき、ガットの挟持ブロック３０に対する引張作用もこれに伴いなくなり、該スライドシート２０は重力作用により落下し並びに開始位置に回復する。このとき、該スライドシート２０の底端が該ボールヘッド５２２に接触し、並びに該緩衝ピン５２を制圧し、該制圧ピン５２を軸方向に移動させ並びに該バネ５４を圧縮させ、該バネ５４によりスライドシート２０の落下に対向する弾性作用力を提供し、これにより該緩衝ピン５２が該スライドシート２０の回復の過程で、該スライドシート２０の落下の速度を緩衝、低減し、該スライドシート２０と該底座１１の衝突を防止し、ガット引張ヘッドの各部品の組合せ関係のゆるみを防止し、その使用寿命を延長する。
【００１４】
図１、２、６を参照されたい。前述の本考案の好ましい実施例はさらに位置決めピン６０を包含する。該位置決めピン６０は該ベース１０に活動可能に設けられ、該ベース１０の一側に、横向きに貫通するピン孔１６が設けられ、該スライドシート２０の一側に挿入孔２４が開設されてピン孔１６に対応し、これにより該位置決めピン６０が該ピン孔１６及び該挿入孔２４に挿入され、該スライドシート２０を位置決めする。該位置決めピン６０の一側に軸方向に沿ってビーズ溝６２が凹設され、該ベース１０に軸方向に沿って収容室１７が開設され、該収容室１７の一端が該ピン孔１６に連通し、そのもう一端は、該ベース１０の該案内部品４０に向いた端面において外部に対して開通し、並びにナット１８が螺合され、これにより該収容室１７が封鎖され、該収容室１７内部にビーズ１７２及び制圧バネ１７４が設けられ、該ビーズ１７２が該ビーズ溝６２に嵌設され、該制圧バネ１７４の両端はそれぞれ該ビーズ１７２と該ナット１８に当接し、これにより該ビーズ１７２と該ビーズ溝６２の両端が相互に制限作用を形成し、これにより該位置決めピン６０が該ベース１０にしっかりと組み合わされ、外向きに脱落せず、該位置決めピン６０操作の便利性と位置決めの信頼度を増す。
【００１５】
ガットをラケットフレームに網状に張る過程で、ガットをラケットフレームのグリップ方向に向いたガット通し孔に通し、並びに本考案によりガットを挟持して緊張させるとき、該位置決めピン６０が該挿入孔２４に挿入され、該ベース１０と該スライドシート２０が軸で接続されるため、該スライドシート２０がガットからの引張作用を受けるとき、定位を保持して図３、４のように上昇せず、これにより該案内部品４０とラケットのグリップの相互衝突を防止でき使用の便利性を高めることができる。
【図面の簡単な説明】
【００１６】
【図１】本考案の好ましい実施例の立体図である。
【図２】本考案の好ましい実施例の立体分解図である。
【図３】本考案の好ましい実施例の作動状態の側面図（一）である。
【図４】本考案の好ましい実施例の作動状態の側面図（二）である。
【図５】本考案の好ましい実施例の緩衝構造部分の横断面図である。
【図６】本考案の好ましい実施例の位置決めピン部分の軸方向断面図である。
【符号の説明】
【００１７】
１０  ベース        １１  底座        １２  立壁
１３  第１滑り溝    １４  第２滑り溝  １５  位置決め孔
１５２  枢設孔部    １５４  収容孔部  １５６  ネジ孔部
１６  ピン孔        １７  収容室      １７２  ビーズ
１７４  制圧バネ    １８  ナット      ２０  スライドシート
２１  保持ブロック  ２２  第１ロール  ２３  第２ロール
２４  挿入孔        ３０  挟持ブロック  ４０  案内部品
５０  緩衝構造      ５２  緩衝ピン      ５２２  ボールヘッド
５２４  フランジ    ５４  バネ          ５６  カバー
６０  位置決めピン  ６２  ビーズ溝
【図１】
0003136637.tif 000003
【図２】
0003136637.tif 000004
【図３】
0003136637.tif 000005
【図４】
0003136637.tif 000006
【図５】
0003136637.tif 000007
【図６】
0003136637.tif 000008